(57)【要約】【課題】復帰安全確認をより早く正確に実施することができる復帰安全確認方法および電子式ガスメータを提供すること。【解決手段】電子式ガスメータは、遮断弁からなる遮断部９と、遮断事象の発生後に、復帰信号の入力に基づき遮断弁を弁開してガス供給を復帰させる際に復帰安全を確認する復帰安全確認手段１〜６，８とを備えている。復帰安全確認手段１〜６，８は、復帰時、ガス圧力および瞬時流量を計測し、ガス圧力がその直前に計測されたガス圧力より小さい状態が所定回数連続して発生した場合または瞬時流量が流量しきい値より大きい状態が所定回数連続して発生した場合に、遮断弁を弁閉して復帰安全確認中遮断を行い、かつ瞬時流量が流量しきい値より小さい状態が所定回数連続して発生した場合に、復帰安全確認を終了する。【選択図】図１
2005308468.tif 000002
【特許請求の範囲】
【請求項１】
ガスメータの遮断弁が弁閉されてガス供給が遮断される遮断事象の発生後に、復帰信号の入力に基づき前記遮断弁を弁開してガス供給を復帰させる際に復帰安全を確認する復帰安全確認方法であって、
前記復帰時、所定時間間隔の圧力サンプリングによりガス圧力を計測し、計測されたガス圧力がその直前に計測されたガス圧力より小さい状態が所定回数連続して発生した場合に、前記遮断弁を弁閉して復帰安全確認中遮断を行うと共に、所定時間間隔の流量サンプリングにより瞬時流量を計測し、計測された瞬時流量を予め設定された流量しきい値と比較し、前記瞬時流量が前記流量しきい値より大きい状態が所定回数連続して発生した場合に、前記遮断弁を弁閉して復帰安全確認中遮断を行い、かつ前記瞬時流量が前記流量しきい値より小さい状態が所定回数連続して発生した場合に、復帰安全確認を終了する
ことを特徴とする復帰安全確認方法。
【請求項２】
ガス流路を遮断する遮断弁からなる遮断部と、前記遮断弁によりガス供給が遮断される遮断事象の発生後に、復帰信号の入力に基づき前記遮断弁を弁開してガス供給を復帰させる際に復帰安全を確認する復帰安全確認手段とを備えた電子式ガスメータであって、
前記復帰安全確認手段は、前記復帰時、所定時間間隔の圧力サンプリングによりガス圧力を計測し、計測されたガス圧力がその直前に計測されたガス圧力より小さい状態が所定回数連続して発生した場合に、前記遮断弁を弁閉して復帰安全確認中遮断を行うと共に、所定時間間隔の流量サンプリングにより瞬時流量を計測し、計測された瞬時流量を予め設定された流量しきい値と比較し、前記瞬時流量が前記流量しきい値より大きい状態が所定回数連続して発生した場合に、前記遮断弁を弁閉して復帰安全確認中遮断を行い、かつ前記瞬時流量が前記流量しきい値より小さい状態が所定回数連続して発生した場合に、復帰安全確認を終了する
ことを特徴とする電子式ガスメータ。
【請求項３】
請求項２記載の電子式ガスメータにおいて、
前記復帰安全確認手段は、
前記ガス流路を流れるガスの流量を所定の時間間隔の流量サンプリングで監視する流量監視部と、
前記ガス流路のガス圧力を前記所定の時間間隔の圧力サンプリングで監視する圧力監視部と、
前記流量監視部からの検出出力が供給され、供給された検出出力に基づいて演算を行って瞬時流量値Ｑｎを算出すると共に、前記圧力監視部からの検出出力が供給され、供給された検出出力に基づいて演算を行ってガス圧力値Ｐｎを算出するデータ演算部と、
前記データ演算部で算出された前記瞬時流量値Ｑｎおよび前記ガス圧力値Ｐｎを記憶するデータ記憶部と、
予め設定された流量しきい値Ｑｔｈを記憶するしきい値記憶部と、
前記データ記憶部に記憶されている前記ガス圧力値Ｐｎと該ガス圧力値Ｐｎの直前に記憶されている前記ガス圧力値Ｐｎ−１とを比較し、第１の比較結果を出力すると共に、前記データ記憶部に記憶されている前記瞬時流量値Ｑｎと、前記しきい値記憶部に記憶されている前記流量しきい値Ｑｔｈとを比較し、第２の比較結果を出力するデータ比較部と、
前記データ比較部からの前記第１の比較結果により、前記ガス圧力値Ｐｎがその直前に記憶されているガス圧力値Ｐｎ−１より小さい状態が所定回数連続して発生した場合に、前記遮断弁を弁閉して復帰安全確認中遮断を行うと共に、前記データ比較部からの前記第２の比較結果により、前記瞬時流量Ｑｎが前記流量しきい値Ｑｔｈより大きい状態が所定回数連続して発生した場合に、前記遮断弁を弁閉して復帰安全確認中遮断を行い、かつ前記瞬時流量Ｑｎが前記流量しきい値Ｑｔｈより小さい状態が所定回数連続して発生した場合に、復帰安全確認を終了するように制御する制御部と
を含むことを特徴とする電子式ガスメータ。
【発明の詳細な説明】
【技術分野】
【０００１】
本発明は、ガス供給異常等に起因するガス供給の遮断後にガス供給を復帰する際の安全を確認する復帰安全確認方法および該方法を実施する電子式ガスメータに関する。
【背景技術】
【０００２】
近年、電子式ガスメータは、ガス流路を流れるガスの流量を計測する機能の他に、流量が予め定めた合計流量値（接続する燃焼器の消費流量を合計して予め設定される）を越えた場合や、所定期間以上連続して燃焼器が使用された場合に、ガス流路中のガスの漏洩または燃焼器の消し忘れ等の異常を検出すると共に、ガス遮断弁を弁閉させてガス流路を通じてのガス供給を遮断する安全遮断機能を有するものが増加している。
【０００３】
また、異常時の安全遮断機能の他に、ガスメータの作動状況を確認するためにテスト的にガス遮断弁を弁閉させてガス流路を通じてのガス供給を遮断するテスト遮断機能を併せ持つものもある。
【０００４】
そこで、安全遮断機能やテスト遮断機能等により弁閉されたガス遮断弁を弁開して復帰させる際には、ガス漏れがないか安全確認しつつ、安全であるときのみガス遮断弁を弁開して復帰させる必要がある。そこで、ガスメータには、これらの遮断機能による遮断後に漏洩の有無を所定時間（復帰安全確認時間）の間確認し、漏洩がなければ通常の使用状態にする機能を搭載している。この機能を復帰安全確認機能という。
【０００５】
復帰安全確認パラメータは２種類あり、１つは極小流量の燃焼器具がない場合、もう１つは極小流量の燃焼器具がある場合である。極小流量燃焼器具の有無設定については、家屋の状況に応じてガス事業者が設定することとなっている。
【０００６】
極小流量燃焼器具は、その使用ガス流量が使用時間遮断機能における燃焼器具の流量区分のうちの最小流量区分（流量２１Ｌ／ｈ以下）に該当する燃焼器具であり、たとえば、一般家庭におけるガステーブル等がある。使用時間遮断機能は、燃焼器具の使用時間が異常に長い場合、燃焼器具の消し忘れまたは器具栓の不完全閉止などによるガス漏れと判断し、ガスを遮断する機能である。極小流量燃焼器具の設定がある場合（すなわち、極小流量燃焼器具がある場合）は、８．３Ｌ／ｈ〜２１Ｌ／ｈの範囲の極小流量で使用時間遮断が行われる。
【０００７】
Ｓ型ガスメータにおける復帰安全確認完了時間は、極小流量燃焼器具の設定がない場合６０秒、極小流量燃焼器具の設定がある場合１５０秒が必要となるのであるが、現状、ガス事業者が施工作業を実施する際も、復帰安全確認の完了を待つ必要があり、特に極小流量の燃焼器具ありに設定されている場合は、待ち時間が長くなり、作業効率が悪くなる。
【０００８】
瞬時流量計である電子式ガスメータにおいても、極小流量区分の有無によって、復帰安全確認の判定時間は大きく影響を受ける。瞬時流量計において復帰安全確認を短時間で終わらせることが、従来の膜式ガスメータと比較した場合の最大のアピールポイントである。これを実現するための手段として、復帰信号入力後の瞬時流量を検知し、漏洩流量の有無判定を確認して復帰安全確認を完了させるのが一般的ロジックである。
【発明の開示】
【発明が解決しようとする課題】
【０００９】
ところが、極小流量区分での漏洩があった場合は、復帰後、漏洩流量を安定して検知するまでの時間は、極小流量区分での漏洩なしの場合と比較してかなり長く必要となる。これは、配管パラメータが持つ物理的現象であり、ガスメータが検知した瞬時流量の計測結果から規定時間内に漏洩の有無を判定しようとした場合、推量的判定を必要とすることから、判定精度が不確かなものになってしまう。つまり、漏洩があるにもかかわらず、誤判定によってガスメータの使用許可をしてしまう可能性が大きくなり、危険である。
【００１０】
そこで本発明は、上述した従来の問題点に鑑み、復帰安全確認をより早く正確に実施することができる復帰安全確認方法および電子式ガスメータを提供することを目的としている。
【課題を解決するための手段】
【００１１】
請求項１記載の発明の復帰安全確認方法は、ガスメータの遮断弁が弁閉されてガス供給が遮断される遮断事象の発生後に、復帰信号の入力に基づき前記遮断弁を弁開してガス供給を復帰させる際に復帰安全を確認する復帰安全確認方法であって、前記復帰時、所定時間間隔の圧力サンプリングによりガス圧力を計測し、計測されたガス圧力がその直前に計測されたガス圧力より小さい状態が所定回数連続して発生した場合に、前記遮断弁を弁閉して復帰安全確認中遮断を行うと共に、所定時間間隔の流量サンプリングにより瞬時流量を計測し、計測された瞬時流量を予め設定された流量しきい値と比較し、前記瞬時流量が前記流量しきい値より大きい状態が所定回数連続して発生した場合に、前記遮断弁を弁閉して復帰安全確認中遮断を行い、かつ前記瞬時流量が前記流量しきい値より小さい状態が所定回数連続して発生した場合に、復帰安全確認を終了することを特徴とする。
【００１２】
請求項２記載の発明の電子式ガスメータは、ガス流路を遮断する遮断弁からなる遮断部と、前記遮断弁によりガス供給が遮断される遮断事象の発生後に、復帰信号の入力に基づき前記遮断弁を弁開してガス供給を復帰させる際に復帰安全を確認する復帰安全確認手段とを備えた電子式ガスメータであって、前記復帰安全確認手段は、前記復帰時、所定時間間隔の圧力サンプリングによりガス圧力を計測し、計測されたガス圧力がその直前に計測されたガス圧力より小さい状態が所定回数連続して発生した場合に、前記遮断弁を弁閉して復帰安全確認中遮断を行うと共に、所定時間間隔の流量サンプリングにより瞬時流量を計測し、計測された瞬時流量を予め設定された流量しきい値と比較し、前記瞬時流量が前記流量しきい値より大きい状態が所定回数連続して発生した場合に、前記遮断弁を弁閉して復帰安全確認中遮断を行い、かつ前記瞬時流量が前記流量しきい値より小さい状態が所定回数連続して発生した場合に、復帰安全確認を終了することを特徴とする。
【００１３】
請求項３記載の発明は、請求項２記載の電子式ガスメータにおいて、前記復帰安全確認手段は、前記ガス流路を流れるガスの流量を所定の時間間隔の流量サンプリングで監視する流量監視部と、前記ガス流路のガス圧力を前記所定の時間間隔の圧力サンプリングで監視する圧力監視部と、前記流量監視部からの検出出力が供給され、供給された検出出力に基づいて演算を行って瞬時流量値Ｑｎを算出すると共に、前記圧力監視部からの検出出力が供給され、供給された検出出力に基づいて演算を行ってガス圧力値Ｐｎを算出するデータ演算部と、前記データ演算部で算出された前記瞬時流量値Ｑｎおよび前記ガス圧力値Ｐｎを記憶するデータ記憶部と、予め設定された流量しきい値Ｑｔｈを記憶するしきい値記憶部と、前記データ記憶部に記憶されている前記ガス圧力値Ｐｎと該ガス圧力値Ｐｎの直前に記憶されている前記ガス圧力値Ｐｎ−１とを比較し、第１の比較結果を出力すると共に、前記データ記憶部に記憶されている前記瞬時流量値Ｑｎと、前記しきい値記憶部に記憶されている前記流量しきい値Ｑｔｈとを比較し、第２の比較結果を出力するデータ比較部と、前記データ比較部からの前記第１の比較結果により、前記ガス圧力値Ｐｎがその直前に記憶されているガス圧力値Ｐｎ−１より小さい状態が所定回数連続して発生した場合に、前記遮断弁を弁閉して復帰安全確認中遮断を行うと共に、前記データ比較部からの前記第２の比較結果により、前記瞬時流量Ｑｎが前記流量しきい値Ｑｔｈより大きい状態が所定回数連続して発生した場合に、前記遮断弁を弁閉して復帰安全確認中遮断を行い、かつ前記瞬時流量Ｑｎが前記流量しきい値Ｑｔｈより小さい状態が所定回数連続して発生した場合に、復帰安全確認を終了するように制御する制御部とを含むことを特徴とする。
【発明の効果】
【００１４】
本発明によれば、復帰安全確認作業をより早く安全に実施することができ、ガス事業者の施工時の作業効率を向上させることができる。また、復帰安全確認時間の間に漏洩流量があれば再び遮断し、漏洩流量がなければ復帰安全確認終了とするので、安全性が向上する。
【発明を実施するための最良の形態】
【００１５】
以下、本発明に係る復帰安全確認方法を実施する電子式ガスメータの実施の形態について図面を参照して説明する。
【００１６】
図１は、本発明の実施の形態に係る復帰安全確認方法を実施する電子式ガスメータを示すブロック図である。図１において、電子式ガスメータは、流量監視部１、圧力監視部２、データ演算部３、データ記憶部４、しきい値記憶部５、データ比較部６、復帰信号入力部７、制御部８および遮断部９から構成される。
【００１７】
流量監視部１、圧力監視部２、データ演算部３、データ記憶部４、しきい値記憶部５、データ比較部６および制御部８は、請求項における復帰安全確認手段として働く。
【００１８】
流量監視部１は、ガス流路を流れるガスの流量を監視するものであり、瞬時流量を検出することができる超音波センサやフローセンサ等の流量センサからなる。圧力監視部２は、ガス流路のガス圧力を監視するものであり、圧力センサからなる。
【００１９】
データ演算部３は、所定時間間隔の流量サンプリングによる流量監視部１からの流量検出出力が供給され、供給された流量検出出力に基づいて演算を行って、瞬時流量を算出する。また、データ演算部３は、所定時間間隔のガス圧力サンプリングによる圧力監視部２からのガス圧力検出出力が供給され、供給されたガス圧力検出出力に基づいて演算を行って、ガス圧力を算出する。
【００２０】
データ記憶部４は、データ演算部３で算出された瞬時流量およびガス圧力を記憶する。しきい値記憶部５は、予め設定された流量しきい値Ｑｔｈを予め記憶している。
【００２１】
データ比較部６は、所定時間間隔のガス圧力サンプリングによりデータ記憶部４に記憶されたガス圧力値Ｐｎと、その直前に記憶されたガス圧力値Ｐｎ−１とを順次比較し、その比較結果を第１の比較結果として出力する。また、データ比較部６は、データ記憶部４に記憶された瞬時流量と、しきい値記憶部５に記憶されている流量しきい値Ｑｔｈとを比較し、その比較結果を第２の比較結果として出力する。
【００２２】
復帰信号入力部７は、復帰ボタンの押下によりオン操作される遮断弁開スイッチからなる。
【００２３】
制御部８は、流量監視部１に所定時間間隔で流量サンプリングを実施するように指示すると共にガス圧力監視部２に所定時間間隔でガス圧力サンプリングを実施するように指示する指示信号を出力する。また、制御部８は、データ比較部６からの第１および第２の比較結果の入力に応じて、遮断部９を遮断弁閉となるように制御する遮断弁閉信号、または遮断弁開となるように制御する遮断弁復帰信号を出力する。遮断部９は、制御部８からの遮断弁復帰信号または遮断弁閉信号で制御されてガス流路を開閉する遮断弁からなる。
【００２４】
なお、データ演算部３、データ記憶部４、しきい値記憶部５、データ比較部６および制御部８は、ＣＰＵ、ＲＯＭおよびＲＡＭを有するマイクロコンピュータで構成することができる。この場合、ＣＰＵは、データ演算部３、データ比較部６および制御部８として働き、ＲＯＭはしきい値記憶部５として働き、ＲＡＭはデータ記憶部４として働く。
【００２５】
上述の構成において、制御部８は、復帰信号入力部７からの復帰信号を受けると、遮断部９へ遮断弁復帰信号を出力し、復帰安全確認モードに移行する。同時に、制御部８は、瞬時流量監視部１および圧力監視部２に、それぞれ流量サンプリングおよび圧力サンプリングの実施を指示する。それぞれのサンプリング結果は、データ演算部３で演算され、演算された瞬時流量値およびガス圧力値がデータ記憶部４に記憶される。記憶された瞬時流量値は、データ比較部６によって流量しきい値と比較され、漏洩流量の有無チェックが実行される。また、記憶されたガス圧力値は、データ比較部６によって当該圧力値の直前に計測されたガス圧力値と比較され、漏洩流量の有無チェックが実行される。漏洩を検知した場合は、制御部８は、遮断部９へ遮断弁閉信号を出力し、遮断弁を弁閉させて遮断する。また、漏洩なしと判定した場合は、制御部８は、復帰安全確認を終了し通常の使用を許可する。
【００２６】
次に、上述の構成の電子式ガスメータの処理動作を図２に示すフローチャートを参照して説明する。
【００２７】
まず、何らかの遮断機能による遮断後、復帰ボタンの押下により遮断弁開スイッチがオン操作されることによって、復帰信号入力部７からの復帰信号が制御部８に入力される（ステップＳ１）。
【００２８】
次に、制御部８は、復帰信号の入力に基づいて遮断弁復帰信号を出力する（ステップＳ３）。それにより、遮断部９は、制御部８からの遮断弁復帰信号で制御され、遮断弁が弁開にされる。
【００２９】
次に、制御部８は、流量監視部１へ瞬時流量のサンプリングを指示する（ステップＳ５）。それにより、流量監視部１から流量検出信号が出力され、データ演算部３で演算され、演算された瞬時流量値Ｑｎがデータ記憶部４に記憶される。
【００３０】
次に、制御部８は、圧力監視部２へ圧力サンプリングを指示する（ステップＳ７）。それにより、圧力監視部２からガス圧力検出信号が出力され、データ演算部３で演算され、演算されたガス圧力値Ｐｎがデータ記憶部４に記憶される。ステップ７の後、ステップＳ９およびステップＳ１９に進む。
【００３１】
ステップＳ９では、データ比較部６は、データ記憶部４に順次記憶されたガス圧力値のうち、最新のガス圧力値Ｐｎが、その直前に記憶されているガス圧力値Ｐｎ−１より小さい（Ｐｎ−１＞Ｐｎ）か否かを判定する。その答がＮｏならばステップＳ１１に進み、データ比較部６に内蔵されている、圧力低下状態の回数をカウントする圧力低下カウンタのカウント値Ｃｐをリセットし（Ｃｐ＝０）、次いでステップＳ５に戻る。
【００３２】
一方、ステップＳ９の答がＹｅｓならばステップＳ１３に進み、圧力低下カウンタのカウント値Ｃｐを１だけインクリメントしてＣｐ′とする（Ｃｐ′＝Ｃｐ＋１）。次に、データ比較部６は、圧力低下カウンタのカウント値Ｃｐ′が予め設定されたｍ回数（たとえば、ｍ＝５回）に達したか（Ｃｐ′＝５）否かを判定する（ステップＳ１５）。その答がＮｏならばステップＳ５に戻り、再びステップＳ５、Ｓ７、Ｓ９、Ｓ１３およびＳ１５の作業を繰り返す。
【００３３】
この繰り返し作業の結果、ステップＳ１５の答がＹｅｓになったならば、これは、最新のガス圧力値Ｐｎがその直前に記憶されているガス圧力値Ｐｎ−１より小さい圧力低下状態の事象が、所定のｍ回数（たとえば、ｍ＝５回）だけ連続して発生したことになるので、次にステップＳ１７に進む。
【００３４】
ステップＳ１７では、制御部８は、データ比較部６からの第１の比較結果の入力に基づいて、遮断弁閉信号を出力して、遮断部９における遮断弁を閉になるように制御し、ガス流路を閉じる。ステップＳ１７の作業は、復帰安全確認中遮断と呼ばれている。
【００３５】
一方、ステップＳ７に続くステップＳ１９では、データ比較部６は、データ記憶部４に記憶された瞬時流量Ｑｎが流量しきい値Ｑｔｈより大きいか（Ｑｔｈ＜Ｑｎ）か否かを判定する。その答がＹｅｓならばステップ２１に進み、データ比較部６に内蔵されている、漏洩流量なしの判定回数をカウントする流量なしカウンタのカウント値Ｃｎをリセットする（Ｃｎ＝０）。次いで、データ比較部６に内蔵されている、漏洩流量ありの判定回数をカウントする流量ありカウンタのカウント値Ｃｑを１だけインクリメントしてＣｑ′とする（Ｃｑ′＝Ｃｑ＋１）（ステップＳ２３）。
【００３６】
次に、データ比較部６は、流量ありカウンタのカウント値Ｃｑ′が予め設定されたｎ回数（たとえば、ｎ＝５回）に達したか（Ｃｑ′＝５）否かを判定する（ステップＳ２５）。その答がＮｏならばステップＳ５に戻り、再びステップＳ５、Ｓ７、Ｓ１９、Ｓ２１、Ｓ２３およびＳ２５の作業を繰り返す。
【００３７】
この繰り返し作業の結果、ステップＳ２５の答がＹｅｓになったならば、これは、「漏洩流量あり」を意味する、最新の瞬時流量Ｑｎが流量しきい値Ｑｔｈより大きい事象が、所定のｎ回数（たとえば、ｎ＝５回）だけ連続して発生したことになるので、次にステップＳ２７に進む。
【００３８】
ステップＳ２７では、制御部８は、データ比較部６からの第２の比較結果の入力に基づいて、遮断弁閉信号を出力して、遮断部９における遮断弁を閉になるように制御し、ガス流路を閉じる。ステップＳ２７の作業は、復帰安全確認中遮断と呼ばれている。
【００３９】
一方、ステップＳ１９の答がＮｏならばステップ２９に進み、データ比較部６に内蔵されている、漏洩流量ありの判定回数をカウントする流量ありカウンタのカウント値Ｃｑをリセットする（Ｃｑ＝０）。次いで、データ比較部６に内蔵されている、漏洩流量なしの判定回数をカウントする流量なしカウンタのカウント値Ｃｎを１だけインクリメントしてＣｎ′とする（Ｃｎ′＝Ｃｎ＋１）（ステップＳ３１）。
【００４０】
次に、データ比較部６は、流量なしカウンタのカウント値Ｃｎ′が予め設定されたｎ回数（たとえば、ｎ＝５回）に達したか（Ｃｎ′＝５）否かを判定する（ステップＳ３３）。その答がＮｏならばステップＳ５に戻り、再びステップＳ５、Ｓ７、Ｓ１９、Ｓ２９、Ｓ３１およびＳ３３の作業を繰り返す。
【００４１】
この繰り返し作業の結果、ステップＳ３３の答がＹｅｓになったならば、これは、「漏洩流量なし」を意味する、最新の瞬時流量Ｑｎが流量しきい値Ｑｔｈより小さい事象が、所定のｎ回数（たとえば、ｎ＝５回）だけ連続して発生したことになるので、次にステップＳ３５に進む。
【００４２】
ステップＳ３５では、制御部８は、データ比較部６からの第２の比較結果の入力に基づいて、復帰安全確認終了として復帰安全確認信号を出力し、次いで処理を終了する。
【００４３】
このようにして、復帰安全確認作業が行われるが、一般的に漏洩判定において、瞬時流量に基づく判定のメリットは、漏洩流量が多い場合は、配管の物理的影響が小さいため、短時間で漏洩判定ができることであり、またデメリットとしては、漏洩流量が小さい場合、配管の物理的影響を少なからず受けるため、短時間で漏洩をとらえることができないことである。
【００４４】
このデメリットを埋める策として、本発明では、ガス圧力に基づく漏洩判定を併用している。ＬＰガス用電子式ガスメータは、通常圧力センサを搭載しており、定期的な圧力サンプリングが可能である。圧力に基づく漏洩判定のメリットは、小流量の漏洩の場合である。小流量の漏洩においては、復帰後、一時的に配管全体にガスが供給されるため、ガス圧力は閉塞圧力となる。閉塞圧力は、配管容積や調整器の能力によっても差があるものの、通常３．３ｋＰａ程度である。漏洩がある場合、ガス圧力は、この圧力値から徐々に低下して調整圧力である２．８ｋＰａ程度まで降下し続ける。同じタイミングで瞬時流量に基づいて小流量の漏洩を検知しようとすると、流量変化が小さいため、判定が困難となるが、ガス圧力に基づく判定を行えば、漏洩を連続的な圧力低下の事象としてとらえることができるため、漏洩判定が容易となる。
【００４５】
漏洩がない場合は、圧力、瞬時流量のいずれにおいても、短時間で安定するため、判定は可能である。大流量の漏洩があった場合は、常にガスが供給されて圧力が安定してしまうことから、流量なし時の圧力判定と区別できず、漏洩有無の判定を行うことが難しい。
【００４６】
以上のように、本発明によれば、瞬時流量に基づく判定とガス圧力に基づく判定とを併用することで、お互いのメリットを活かした、短時間でかつ正確な復帰安全確認作業を行うことが可能となる。このように、設定状況に応じた復帰安全確認作業を行うことで、より早く正確に復帰安全を完了することができ、ガス事業者の施工時の作業効率を向上させることができる。また、復帰安全確認中に漏洩流量があれば再び遮断し、漏洩流量がなければ復帰安全確認終了とするので、安全性が向上する。
【００４７】
以上の通り、本発明の実施の形態について説明したが、本発明はこれに限らず、種々の変形、応用が可能である。
【００４８】
たとえば、判定回数ｍおよびｎは、上述の実施の形態ではｍ＝５およびｎ＝５に設定されているが、これに限らず、それぞれ任意の回数に設定可能である。
【図面の簡単な説明】
【００４９】
【図１】本発明の実施の形態に係る復帰安全確認方法を実施する電子式ガスメータを示すブロック図である。
【図２】図１の電子式ガスメータの復帰安全確認機能の処理動作を示すフローチャートである。
【符号の説明】
【００５０】
１  流量監視部（復帰安全確認手段の一部）
２  圧力監視部（復帰安全確認手段の一部）
３  データ演算部（復帰安全確認手段の一部）
４  データ記憶部（復帰安全確認手段の一部）
５  しきい値記憶部（復帰安全確認手段の一部）
６  データ比較部（復帰安全確認手段の一部）
７  復帰信号入力部
８  制御部（復帰安全確認手段の一部）
９  遮断部
【図１】
2005308468.tif 000003
【図２】
2005308468.tif 000004